(57)【特許請求の範囲】
【請求項１】
運転席に設けられて車両を運転する運転操作手段，
該運転操作手段の操作状態を検知する操作検知手段，
前記運転操作手段に対応して助手席に設けられており、疑似的に運転席を再現する疑似運転操作手段，
前記操作検知手段によって検知された前記運転操作手段の操作状態に追従するように、前記疑似運転操作手段を駆動する疑似運転駆動手段，
前記疑似運転操作手段側に設けられており、前記運転操作手段が操作されたことを示す案内手段，
を備えており、
前記運転操作手段及び前記疑似運転操作手段は、
車両のハンドル，ブレーキ，アクセル，方向指示レバー，クラッチのうち、少なくともハンドルを含んでおり、
前記案内手段は、
前記疑似運転駆動手段による前記疑似運転操作手段の駆動に対応して、操作案内用の音声を出力する音声案内手段ないし操作案内用の光を出力する光案内手段のうち、少なくとも光案内手段を備えており、
該光案内手段は、
前記ハンドルの左右の回転方向を示す左回転発光部及び右回転発光部をそれぞれ備えており、
これらの左回転発光部及び右回転発光部を、前記疑似運転操作手段のハンドルに設けたことを特徴とする教習車。
【請求項２】
前記車両の助手席側のダッシュボードの形状に沿って疑似運転台が着脱可能に設けられており、
該疑似運転台には、運転席における前記運転操作手段の配置と対応する位置に、前記疑似運転操作手段を設けるとともに、該疑似運転操作手段には前記疑似運転駆動手段を設けたことを特徴とする請求項１記載の教習車。
【請求項３】
前記運転操作手段及び前記疑似運転操作手段は、ブレーキ及びアクセルを含んでおり、
前記光案内手段は、前記ブレーキが操作されたことを示すブレーキ発光部と、前記アクセルが操作されたことを示すアクセル発光部とをそれぞれ備えており、
前記ブレーキ発光部を前記ブレーキと前記疑似運転台にそれぞれ設け、前記アクセル発光部を前記アクセルと前記疑似運転台にそれぞれ設けたことを特徴とする請求項２記載の教習車。
【請求項４】
前記運転操作手段及び前記疑似運転操作手段は、方向指示レバーを含んでおり、
前記光案内手段は、前記方向指示レバーによる左右の指示方向をそれぞれ示す左指示発光部及び右指示発光部を備えており、
これらの左指示発光部及び右指示発光部を、前記疑似運転操作手段の方向指示レバーに設けたことを特徴とする請求項１〜３のいずれか一項に記載の教習車。
【請求項５】
前記操作検知手段による検出結果を前記疑似運転駆動手段に無線で伝達する無線伝達手段を備えたことを特徴とする請求項１〜４のいずれか一項に記載の教習車。
【請求項６】
前記疑似運転駆動手段による前記疑似運転操作手段の駆動に必要な電力を前記教習車側から無線で供給するワイヤレス給電手段を設けたことを特徴とする請求項１〜５のいずれか一項に記載の教習車。
【請求項７】
車両が道路の左側を走行する場合には、前記教習車が左ハンドル車であり、前記疑似運転操作手段を助手席側に設けるとともに、車両が道路の右側を走行する場合には、前記教習車が右ハンドル車であり、前記疑似運転操作手段を助手席側に設けたことを特徴とする請求項１〜６のいずれか一項に記載の教習車。
【請求項８】
請求項１〜７のいずれか一項に記載の教習車を使用し、指導員は、運転席に座って運転操作手段を操作して教習車の運転を行い、生徒は、助手席に座って疑似運転操作手段を操作することを特徴とする教習方法。
【発明の詳細な説明】
【技術分野】
【０００１】
本発明は、自動車学校などで用いられる教習車及びそれを利用した教習方法に関し、更に具体的には、運転感覚を身に付けるために好適な教習車及びそれを利用した教習方法に関するものである。
【背景技術】
【０００２】
自動車用のシミュレーション装置としては、自動車学校で教習用に使用されている運転シミュレータが知られているが、これを改良したものとして、例えば下記特許文献１記載の運転シミュレーション装置がある。これは、より現実的な運転感覚を体験することを目的としたもので、昇降可能なローラー台上に車両を設定するとともに、車両の速度や仮想道路の勾配に応じて、車両の姿勢を制御したり、仮想道路の映像をディスプレイに表示するようにしたものである。しかしながら、当該技術では、実際の路上を走行することはできず、運転感覚を身に付けるには十分ではない。
【０００３】
一方、指導員が運転し、助手席に座った生徒ないし教習生に模範運転をしてみせ、生徒にその真似をさせるという教習方法がある。この方法は、教習効果をあげる上で極めて効果的である一方、生徒が助手席から見る景色は、運転席から見る景色とは異なるため、ドライバー目線で練習することはできない。
【０００４】
このような不都合に対し、下記特許文献２には、操縦席のまわりに配備されている各操縦操作機器と略同一サイズの模造機器を作り、該模造機器を助手席の前面に配置される支持体に取付け、支持体に対する模造機器の取付構造を、模造機器が助手席の空間内において実際の操縦操作機器と同様の位置関係を保ちながら実際の操縦操作機器に類似した動きができるように構成した模擬教習機器が開示されている。例えば、右ハンドル車の運転を練習するためには、左ハンドル車の助手席に前記模擬供給装置を設け、教習生は、変化する情景の中でインストラクターの説明を聞き、模範動作を目で見ながら、模造機器に手を触れてそれを実際動かしてみて学習する。
【０００５】
しかしながら、上述した特許文献２に記載の技術では、教習生が見よう見真似でハンドルやアクセル等を操作しても、実際にインストラクターが操作した量と同じだけの量を操作できているとは限らず、ハンドル等の操作量を感覚的につかむことは困難である。
【０００６】
下記特許文献３には、疑似運転操作手段と、これに対応して設けられた表示装置と、車両の運転状態を検出する運転状態検出手段とを備え、前記疑似運転操作手段の操作状態と、前記運転状態検出手段により検出される該車両の運転状態とに基づいて疑似運転時の車両位置を算出して前記表示装置に表示するようにした車両の疑似運転装置が開示されている。これによれば、疑似運転操作手段の疑似操舵ハンドル等は、車両の操舵ハンドル等に追随して動く（同文献７ページ追従モード参照）。
【先行技術文献】
【特許文献】
【０００７】
【特許文献１】特開２０１１−１３３６９５号公報
【特許文献２】特開２００５−２８４２２７号公報
【特許文献３】特開２００５−３８１５号公報
【発明の概要】
【発明が解決しようとする課題】
【０００８】
ところで、特許文献３の背景技術は、疑似運転操作手段が助手席に設置される場合であっても、ディスプレイの表示を参照する仕組みとなっているが、運転感覚を身に付けるためには、車両の窓を眺めて、道路の状況や景色の移り変わりを見る方がよい。また、疑似運転操作手段は、同文献の図３や図４にあるように、座席とチャイルドシート間に挿入する程度の簡便な構成であるが、自動車の教習という観点からすると、疑似運転操作手段のハンドルやブレーキなどは、前記特許文献２のように、できる限り実際の車両に近づけたほうがよい。加えて、前記特許文献３では、運転席側の各種センサ類と疑似運転席側のハンドル等の駆動モータ等の電気的な接続や、駆動電力の供給をどのようにして行うかについては、何ら工夫されていない。このため、疑似運転操作手段を設置するに当たり、複雑な配線を余儀なくされる。
【０００９】
本発明は、以上の点に着目したもので、その目的は、自動車の教習を受ける生徒が、実際の路上を走行しながら、ドライバー目線を確保しつつ、ハンドル等の操作量を感覚的に把握し、効率的に運転技能の向上を図ることである。他の目的は、疑似運転台を着脱自在とすることで、教習車を通常の自動車としても使用することである。更に他の目的は、疑似運転台の着脱に当たって、配線作業の簡略化を図ることである。
【課題を解決するための手段】
【００１０】
本発明の教習車は、
運転席に設けられて車両を運転する運転操作手段，
該運転操作手段の操作状態を検知する操作検知手段，
前記運転操作手段に対応して助手席に設けられており、疑似的に運転席を再現する疑似運転操作手段，
前記操作検知手段によって検知された前記運転操作手段の操作状態に追従するように、前記疑似運転操作手段を駆動する疑似運転駆動手段，
前記疑似運転操作手段側に設けられており、前記運転操作手段が操作されたことを示す案内手段，
を備えており、
前記運転操作手段及び前記疑似運転操作手段は、
車両のハンドル，ブレーキ，アクセル，方向指示レバー，クラッチのうち、少なくともハンドルを含んでおり、
前記案内手段は、
前記疑似運転駆動手段による前記疑似運転操作手段の駆動に対応して、操作案内用の音声を出力する音声案内手段ないし操作案内用の光を出力する光案内手段のうち、少なくとも光案内手段を備えており、
該光案内手段は、
前記ハンドルの左右の回転方向を示す左回転発光部及び右回転発光部をそれぞれ備えており、
これらの左回転発光部及び右回転発光部を、前記疑似運転操作手段のハンドルに設けたことを特徴とする。
【００１１】
主要な形態の一つによれば、前記車両の助手席側のダッシュボードの形状に沿って疑似運転台が着脱可能に設けられており、該疑似運転台には、運転席における前記運転操作手段の配置と対応する位置に、前記疑似運転操作手段を設けるとともに、該疑似運転操作手段には前記疑似運転駆動手段を設けたことを特徴とする。他の形態によれば、前記運転操作手段及び前記疑似運転操作手段は、ブレーキ及びアクセルを含んでおり、前記光案内手段は、前記ブレーキが操作されたことを示すブレーキ発光部と、前記アクセルが操作されたことを示すアクセル発光部とをそれぞれ備えており、前記ブレーキ発光部を前記ブレーキと前記疑似運転台にそれぞれ設け、前記アクセル発光部を前記アクセルと前記疑似運転台にそれぞれ設けたことを特徴とする。あるいは、前記運転操作手段及び前記疑似運転操作手段は、方向指示レバーを含んでおり、前記光案内手段は、前記方向指示レバーによる左右の指示方向をそれぞれ示す左指示発光部及び右指示発光部を備えており、これらの左指示発光部及び右指示発光部を、前記疑似運転操作手段の方向指示レバーに設けたことを特徴とする。
【００１２】
更に他の形態の一つは、前記操作検知手段による検出結果を、前記疑似運転駆動手段に無線で伝達する無線伝達手段を備えたことを特徴とする。更には、前記疑似運転駆動手段による前記疑似運転操作手段の駆動に必要な電力を前記教習車側から無線で供給するワイヤレス給電手段を設けたことを特徴とする。更に別の形態としては、車両が道路の左側を走行する場合には、前記教習車が左ハンドル車であり、前記疑似運転操作手段を助手席側に設けるとともに、車両が道路の右側を走行する場合には、前記教習車が右ハンドル車であり、前記疑似運転操作手段を助手席側に設けたことを特徴とする。
【００１３】
本発明の教習方法は、前記いずれかの教習車を使用し、指導員は、運転席に座って運転操作手段を操作して教習車の運転を行い、生徒は、助手席に座って疑似運転操作手段を操作することを特徴とする。本発明の前記及び他の目的，特徴，利点は、以下の詳細な説明及び添付図面から明瞭になろう。
【発明の効果】
【００１４】
本発明によれば、助手席に疑似運転操作手段を設けるとともに、案内手段による案内に基づいて生徒が操作することで、実際の路上を走行しながら、ドライバー目線でハンドル等の操作量を感覚的に把握し、効率的に運転技能の向上を図ることができる。また、疑似運転台を着脱可能とすることで、教習車を通常の自動車としても使用することができる。また、運転席側における疑似運転操作手段の検知結果を無線で疑似運転台側に伝達することとしたので、配線作業の簡略化を図ることができる。
【図面の簡単な説明】
【００１５】
【図１】本発明の実施例の教習車の主要部を示す斜視図である。
【図２】前記実施例において、助手席に模擬運転台を取り付ける様子を示す斜視図である。
【図３】前記実施例の電気的な構成を示すブロック図である。
【図４】(A)は前記実施例におけるトランス構造の一例を示す図である。(B)は他の実施例の主要部を示す図である。
【発明を実施するための形態】
【００１６】
以下、本発明を実施するための形態を、実施例に基づいて詳細に説明する。なお、以下の実施例は、我が国のような左側通行国で、運転席が進行方向右側にある右ハンドル車の場合である。
【実施例１】
【００１７】
図１には、本発明の一実施例に係る教習用自動車（以下「教習車」という）１０の主要部である運転席及び助手席の部分が示されている。また、教習車１０に模擬運転台１００を取り付ける様子が、図２に示されている。これらの図において、教習車１０は、いわゆる左ハンドル車で、左側が運転席１２，右側が助手席１４となっている。運転席１２には、ハンドル（ステアリングホイール）２０，ブレーキペダル２２，アクセルペダル２４（図３参照），方向指示レバー（ウインカーレバー）２６，速度計などのメータ類２８，シフトレバー３０などが設けられている。他に、ワイパーレバー，クラクションスイッチ，エアコン操作スイッチなどが通常の乗用車と同様に設けられている。
【００１８】
一方、助手席１４に取り付けられる模擬運転台１００は、助手席１４のダッシュボード１６の形状に沿った筐体１０１を備えており、この筐体１０１に、ハンドル１２０，ブレーキペダル１２２，アクセルペダル１２４，方向指示レバー１２６，速度計などのメータ類１２８が設けられている。筐体１０１は、ダッシュボード１６に対して着脱自在の構造となっており、ボルト・ナットなどの公知の手段で固定される。そして、模擬運転台１００をダッシュボード１６に取り付けた状態で、ハンドル１２０，ブレーキペダル１２２，アクセルペダル１２４，方向指示レバー１２６，メータ類１２８が、運転席１２におけるハンドル２０，ブレーキペダル２２，アクセルペダル２４，方向指示レバー２６，メータ類２８と対応する位置となり、あたかも右ハンドル車の運転席が疑似的に再現された状態となる。
【００１９】
次に、図３を参照して、電気的な構成について説明する。まず、運転席側から説明する。同図において、運転席１２側のハンドル２０，ブレーキペダル２２，アクセルペダル２４，方向指示レバー２６，メータ類２８には、それぞれハンドルセンサ２０Ｓ，ブレーキセンサ２２Ｓ，アクセルセンサ２４Ｓ，方向指示センサ２６Ｓ，メータ信号分岐部２８Ｓが設けられている。ハンドルセンサ２０Ｓは、ハンドル２０が右回転・左回転したときの回転方向と回転角度を検出する。ブレーキセンサ２２Ｓは、ブレーキペダル２２の踏込量を検出する。アクセルセンサ２４Ｓは、アクセルペダル２４の踏込量を検出する。方向指示センサ２６Ｓは、方向指示レバー２６のシフト方向を検出する。メータ信号分岐部２８Ｓは、メータ類２８に入力されている信号を分岐して出力する。なお、メータ類２８の針の動きを検出するようにしてもよい。
【００２０】
これらのハンドルセンサ２０Ｓ，ブレーキセンサ２２Ｓ，アクセルセンサ２４Ｓ，方向指示センサ２６Ｓ，メータ信号分岐部２８Ｓの信号出力側は、ラジコン（ラジオコントロール）送信機５０に接続されている。ラジコン送信機５０は、運転席１２の周囲の適宜位置，例えばダッシュボード内側に設けられている。
【００２１】
次に、助手席側について説明する。模擬運転台１００のハンドル１２０，ブレーキペダル１２２，アクセルペダル１２４，方向指示レバー１２６，メータ類１２８には、それぞれハンドル駆動部１２０Ｄ，ブレーキ駆動部１２２Ｄ，アクセル駆動部１２４Ｄ，方向指示駆動部１２６Ｄ，メータ駆動部１２８Ｄが設けられている。ハンドル駆動部１２０Ｄは、ハンドルセンサ２０Ｓからの検知信号に基づいて、ハンドル１２０を運転席側のハンドル２０に追従して回転させる。ブレーキ駆動部１２２Ｄは、ブレーキセンサ２２Ｓからの検知信号に基づいて、ブレーキペダル１２２を運転席側のブレーキペダル２２の踏込量に追従して押し込む又は押し下げる。アクセル駆動部１２４Ｄは、アクセルセンサ２４Ｓからの検知信号に基づいて、アクセルペダル１２４を運転席側のアクセルペダル２４の踏込量に追従して押し込む又は押し下げる。方向指示駆動部１２６Ｄは、方向指示センサ２６Ｓからの検知信号に基づいて、方向指示レバー１２６を運転席側の方向指示レバー２６の操作方向に追従してシフトさせる。メータ駆動部１２８Ｄは、メータ信号分岐部２８Ｓからの分岐信号に基づいて、メータ類１２８を運転席側のメータ類２８の動きに追従して駆動させる。
【００２２】
これらのハンドル駆動部１２０Ｄ，ブレーキ駆動部１２２Ｄ，アクセル駆動部１２４Ｄ，方向指示駆動部１２６Ｄ，メータ駆動部１２８Ｄは、ラジコン受信機１５０に接続されている。ラジコン受信機１５０は、ラジコン送信機５０から出力された無線信号を受信するためのものである。これにより、運転席側のハンドルセンサ２０Ｓ，ブレーキセンサ２２Ｓ，アクセルセンサ２４Ｓ，方向指示センサ２６Ｓ，メータ信号分岐部２８Ｓの出力信号が、模擬運転台１００のハンドル駆動部１２０Ｄ，ブレーキ駆動部１２２Ｄ，アクセル駆動部１２４Ｄ，方向指示駆動部１２６Ｄ，メータ駆動部１２８Ｄにそれぞれ供給されるようになっている。ラジコン受信機１５０は、模擬運転台１００の適宜位置，例えば筐体１０１の内側に設けられている。
【００２３】
次に、模擬運転台１００の各部を駆動するための電源について説明する。教習車１０には、通常の自動車と同様に、駆動用の車載バッテリ６０が搭載されているので、この車載バッテリ６０の出力を、模擬運転台１００の各部に供給すればよいが、そのためには電力供給用の配線が必要となる。そこで、本実施例では、車載バッテリ６０の出力側にインバータ６２を設け、これによって直流を交流に変換する。変換した交流電力は、トランス７０の一次巻線７２に供給される。トランス７０の二次巻線７４の交流電力は、コンバータ１６２によって直流に変換され、模擬運転台１００の各部に供給される。
【００２４】
この場合において、トランス７０の一次巻線７２は、図４に示すように、教習車１０の助手席１４の適宜位置，例えばダッシュボード下部１１に形成した凹部７３の内側に巻回されている。他方、トランス７０の二次巻線１７２は、模擬運転台１００の筐体１０１に形成した凸部１７３の外側に巻回されている。そして、助手席１４のダッシュボードに、模擬運転台１００の筐体１０１を取り付けたときに、前記凹部７３に前記凸部１７３が嵌まり込むように構成されている。これにより、一次巻線７２と二次巻線７４との間で電磁誘導が生じ、トランス７０が形成される。なお、図３の音声案内部２００については、後述する実施例２で説明する。
【００２５】
次に、本実施例の動作を説明する。上述したように、教習車１０の助手席１４に模擬運転台１００を取り付けると、ハンドル１２０，ブレーキペダル１２２，アクセルペダル１２４，方向指示レバー１２６，メータ類１２８が、運転席１２におけるハンドル２０，ブレーキペダル２２，アクセルペダル２４，方向指示レバー２６，メータ類２８と対応する位置となり、あたかも右ハンドル車の運転席が疑似的に設けられた状態となる。また、車載バッテリ６０の直流電力が、インバータ６２，トランス７０，コンバータ１６２を介して、ハンドル駆動部１２０Ｄ，ブレーキ駆動部１２２Ｄ，アクセル駆動部１２４Ｄ，方向指示駆動部１２６Ｄ，メータ駆動部１２８Ｄにそれぞれ供給されるようになる。
【００２６】
この状態で、運転席１２には指導員（教官）が座り、助手席１４には生徒が座る。そして、指導員は、自動車学校内の教習用コース内や、路上を走行する。生徒は、右ハンドル車であれば教習車１０の運転席である位置から、フロントガラスやサイドガラスを介して実際の道路の状況や風景を見ることができる。すなわち、生徒自身があたかも運転しているかのような状況となる。
【００２７】
このときの指導員によるハンドル２０，ブレーキペダル２２，アクセルペダル２４，方向指示レバー２６の動きは、ハンドルセンサ２０Ｓ，ブレーキセンサ２２Ｓ，アクセルセンサ２４Ｓ，方向指示センサ２６Ｓによってそれぞれ検知され、検知信号がラジコン送信機５０によって模擬運転台１００のラジコン受信機１５０に送信される。また、メータ類１２８に供給されている信号がメータ信号分岐部２８Ｓで分岐され、同様に、ラジコン送信機５０によってラジコン受信機１５０に送信される。
【００２８】
模擬運転台１００では、ラジコン受信機１５０で受信した検知信号が、ハンドル駆動部１２０Ｄ，ブレーキ駆動部１２２Ｄ，アクセル駆動部１２４Ｄ，方向指示駆動部１２６Ｄ，メータ駆動部１２８Ｄにそれぞれ供給される。すると、助手席側のハンドル１２０，ブレーキペダル１２２，アクセルペダル１２４，方向指示レバー１２６，メータ類１２８が、運転席側に追従して動くようになる。すなわち、運転席側におけるハンドル等の動きがそのまま助手席側に伝わるようになる。これにより、生徒は、指導員のハンドル操作やペダル操作をそのまま体感することができる。一方、上述したように、右ハンドル車であれば、運転席となる位置に座っているので、ドライバーと同様の状態で道路の状況を見ている。
【００２９】
指導員は、道路状況に関する説明や、ハンドル２０等の操作の内容を、走行中の実際の道路状況に即して生徒に説明するとともに、ハンドル２０等の操作を行う。生徒は、実際の道路状況の中において、指導員の説明を聞くとともに、ハンドル１２０等の模範動作を確認する。これにより、生徒は、右ハンドル車であたかも運転席に座ったドライバーのような経験をすることができ、運転感覚を身に付けることができるようになる。
【００３０】
なお、この場合において、仮に生徒が指導員の模範動作と異なった動作，例えば、ハンドル１２０を逆方向に回した，ブレーキ１２２の代わりにアクセル１２４を踏み込んだなどの誤った操作をしても、ラジコン送受信による一方向の通信となっているので、誤った操作が運転席１２側に伝達されることはない。
【００３１】
ところで、本実施例によれば、運転席１２側において得た各センサの検知信号の送信と、助手席１４側の模擬運転台１００の各駆動部に対する送信が、ラジコン送受信によって電波により行われている。このため、信号を運転席１２側から助手席１４側に送信するための配線が不要となる。加えて、教習車１０側から模擬運転台１００に対する駆動電力供給を、トランスを利用して行うこととしたので、電力供給のための配線も不要となるといった利点がある。
【００３２】
以上のように、本実施例によれば、次のような効果がある。
ａ，左ハンドル車の運転席と同様にハンドル等を助手席に設けて、助手席に疑似的に運転席を再現することとしたので、生徒は、右ハンドル車の運転席に相当する位置に座って実際の路上を走行して、周囲の道路状況や景色を見ながらハンドル等の操作を行うので、あたかも自分が運転しているような状況の中で運転感覚を身に付けることができ、運転技能の向上を図ることができる。
ｂ，実際の路上走行におけるハンドル等の操作タイミングのみならず、ハンドルの回転量やアクセル・ブレーキの踏込量なども把握することができる。
ｃ，模擬運転台１００を着脱自在としたので、通常の自動車としても使用することができる。
ｄ，生徒がハンドル等の操作を誤っても、模擬運転台１００における各部の動きが運転席側に伝達されることはないので、安全に路上教習を行うことができる。
ｅ，運転席１２のセンサ類の検知信号を模擬運転台１００の駆動部に対して無線により送信することとしたので、模擬運転台１００に対する配線が不要となる。
ｆ，加えて、模擬運転台１００に必要な駆動電力を、車載バッテリ６０の直流を交流に変換し、トランスを介して模擬運転台１００に電力を供給することで、電力用の配線も不要となる。
【実施例２】
【００３３】
次に、本発明の実施例２について説明する。上述した実施例では、運転席１２に座った指導員が口頭で道路状況や操作内容を説明するようにしたが、これを音声案内で行うようにしたものである。図３に示すように、本実施例では、模擬運転台１００に音声案内部２００が設けられている。音声案内部２００は、ラジコン受信機１５０において運転席１２側から検知信号を受信したときに、その検知信号に対応して予め設定した音声を出力する機能を備えており、模擬運転台１００の筐体１０１の適宜位置に設けられている。
【００３４】
音声の一例を示すと、次のようになる。
ａ，指導員がハンドル２０を右に切ったとき：「ハンドル右です」
ｂ，指導員がハンドル２０を左に切ったとき：「ハンドル左です」
ｃ，指導員がブレーキペダル２２を踏み込んだとき：「ブレーキ踏みます」
ｄ，指導員がアクセルペダル２４を踏み込んだとき：「アクセル踏みます」
ｅ，指導員が方向指示レバー２６を右に倒したとき：「方向指示右です」
ｆ，指導員が方向指示レバー２６を左に倒したとき：「方向指示左です」
【００３５】
助手席１４側に座っている生徒は、上記の音声によるガイドを聞きながら、ハンドル１２０等を操作すれば、指導員の操作にほぼ追随して操作を行うことができ、運転感覚を身につけて行くことができる。
【実施例３】
【００３６】
次に、本発明の実施例３について説明する。上述した実施例では、運転席１２に座った指導員の操作を音声で助手席１４に座っている生徒に聞かせるようにしたが、本実施例では、光によって生徒に知らせるようにしている。図４(B)には、本実施例における模擬運転台１００の主要部が示されている。ハンドル１２０には、その左右に左回転発光部１２０Ｌ，右回転発光部１２０Ｒが設けられている。また、ブレーキペダル１２２には表面にブレーキ発光部１２２Ｈが設けられており、アクセルペダル１２４にはアクセル発光部１２４Ｈが設けられている。更に、方向指示レバー１２６には、左指示側に左指示発光部１２６Ｌが設けられており、右指示側に右指示発光部１２６Ｒが設けられている。各発光部１２０Ｌ，１２０Ｒ，１２２Ｈ，１２４Ｈ，１２６Ｌ，１２６Ｒは、例えばＬＥＤ（発光ダイオード）を適宜のケースに収納することによって構成されている。
【００３７】
前記左右回転発光部１２０Ｌ，１２０Ｒは、ハンドル駆動部１２０Ｄからの駆動信号に基づいて発光する。具体的には、
ａ，指導員がハンドル２０を左に回したときは、左回転発光部１２０Ｌが発光する。
ｂ，指導員がハンドル２０を右に回したときは、右回転発光部１２０Ｒが発光する。
となる。ブレーキ発光部１２２Ｈは、ブレーキ駆動部１２２Ｄからの駆動信号に基づいて指導員がブレーキペダル２２を踏み込んだときに発光する。アクセル発光部１２４Ｈは、アクセル駆動部１２４Ｄからの駆動信号に基づいて、指導員がアクセルペダル２４を踏み込んだときに発光する。なお、同図中の発光部１２２ＨＮ，１２４ＨＮについては後述する。
【００３８】
次に、本実施例の動作を説明すると、指導員が運転席１２側のハンドル２０を左に回したとすると、これがハンドルセンサ２０Ｓで検知され、検知信号がラジコン送信機５０，ラジコン受信機１５０を介してハンドル駆動部１２０Ｄに出力される。すると、助手席１４側のハンドル１２０の左回転発光部１２０Ｌが発光する。生徒は、この発光を見て、指導員のハンドル操作が行われたこと及びその方向が左であることを知ることができ、その方向にハンドル１２０を回す。指導員がハンドル２０を右に回したときは、右回転発光部１２０Ｒが発光し、これを見て生徒は、ハンドル１２０を右に回す。
【００３９】
指導員が運転席１２側のブレーキペダル２２を踏み込んだとすると、これがブレーキセンサ２２Ｓで検知され、検知信号がラジコン送信機５０，ラジコン受信機１５０を介してブレーキ駆動部１２２Ｄに出力される。すると、助手席１４側のブレーキペダル１２２のブレーキ発光部１２２Ｈが発光する。生徒は、この発光を見て、指導員によるブレーキ操作が行われたことを知ることができ、ブレーキ１２２を踏み込むようにする。指導員がアクセルペダル２４を踏み込んだときは、同様にして、アクセル発光部１２４Ｈが発光し、これを見て生徒は、アクセルペダル２４を踏み込むようにする。
【００４０】
このように、本実施例によれば、操作部の発光による案内を行って生徒は何を操作すればよいか、どちらの方向に操作すればよいかを知ることができる。また、指導員による口頭の説明を省くことができるといった利点もある。
【実施例４】
【００４１】
次に、本発明の実施例４について説明する。前記実施例３では、ブレーキペダル１２２にブレーキ発光部１２２Ｈを設け、アクセルペダル１２４にアクセル発光部１２４Ｈを設けたが、位置が足元なので、生徒側からみると多少わかりにくい恐れがある。そこで、本実施例では、疑似運転台１００の見やすい位置に、ブレーキ発光部１２２ＨＮ，アクセル発光部１２４ＨＮを設けている。
【００４２】
ブレーキ発光部１２２ＨＮは、ブレーキ駆動部１２２Ｄからの駆動信号に基づいて指導員がブレーキペダル２２を踏み込んだときに発光する。アクセル発光部１２４ＨＮは、アクセル駆動部１２４Ｄからの駆動信号に基づいて、指導員がアクセルペダル２４を踏み込んだときに発光する。
【００４３】
指導員がブレーキペダル２２を踏み込むとブレーキ発光部１２２Ｈ及び／又は１２２ＨＮが発光し、アクセルペダル２４を踏み込むとアクセル発光部１２４Ｈ及び／又は１２４ＨＮが発光する。生徒は、ブレーキ発光部１２２ＨＮやアクセル発光部１２４ＨＮを参照することができるので、ブレーキ操作やアクセル操作を的確に行うことができる。
【００４４】
なお、本発明は、上述した実施例に限定されるものではなく、本発明の要旨を逸脱しない範囲内において種々変更を加えることができる。例えば、以下のものも含まれる。
(1)前記実施例では、ハンドル，ブレーキ，アクセル，方向指示レバーを操作対象としたが、必要に応じて増減してよい。例えば、ハンドルのみとする，クラッチやギヤチェンジレバーを追加するといった具合である。
(2)前記実施例では、右ハンドル車の場合を説明したが、左ハンドル車の場合は、運転席と助手席を入れ替えればよい。我が国のように、車両が道路の左側を走行する場合には、前記教習車を左ハンドル車とするとともに、前記疑似運転操作手段を助手席側に設けるようにする。しかし、車両が道路の右側を走行する場合には、前記教習車を右ハンドル車とするとともに、前記疑似運転操作手段を助手席側に設けるようにする。しかし、我が国において左ハンドル車を運転する場合には、後者のような配置とする。
(3)前記実施例では、生徒の操作対象や操作方向を音や光によって示したが、生徒が指導員と異なる操作を行ったり、操作の追従を怠ったときに、警告音や警告光を発するように構成してもよい。更に、異なる操作や追従の発生頻度の多少から生徒の習熟度を判定するようにしてもよい。
(4)前記実施例を組み合わせてもよい。例えば、実施例２の音と実施例３の光の両方を同時に行うという具合である。生徒の技量に応じた複数の動作モードを備えるようにしてもよい。例えば、
ａ，初心者には、指導員の口頭による説明に発光によるガイドを行う。
ｂ，中級者には、光もしくは音声によるガイドを行う。
ｃ，上級者には、一切のガイドを行わない。
といった具合である。
(5)前記実施例では、トランスを利用した電磁誘導により、教習車１０側から疑似運転台１００側に電力をワイヤレスで供給したが、電力についてはケーブルによって電力を供給してもよいし、疑似運転台１００側にバッテリを搭載するようにしてもよい。また、交流発電機の交流出力を取り出してトランス７０の一次側に供給するようにしてもよい。更に、他の方式のワイヤレス電力伝送を行うようにしてもよい。
(6)前記実施例は、本発明を自動車の教習に適用したものであるが、運転席及び助手席を有する各種乗り物に適用してよい。
【産業上の利用可能性】
【００４５】
本発明によれば、自動車の教習を受ける生徒が、実際の路上を走行しながら、ドライバー目線でハンドル等の操作量を感覚的に把握し、効率的に運転技能の向上を図ることができるので、自動車の講習に好適である。
【符号の説明】
【００４６】
１０：教習車
１１：ダッシュボード下部
１２：運転席
１４：助手席
１６：ダッシュボード
２０：ハンドル
２０Ｓ：ハンドルセンサ
２２：ブレーキペダル
２２Ｓ：ブレーキセンサ
２４：アクセルペダル
２４Ｓ：アクセルセンサ
２６：方向指示レバー
２６Ｓ：方向指示センサ
２８：メータ類
２８Ｓ：メータ信号分岐部
３０：シフトレバー
５０：ラジコン送信機
６０：車載バッテリ
６２：インバータ
７０：トランス
７２：一次巻線
７３：凹部
７４：二次巻線
１００：模擬運転台
１０１：筐体
１２０：ハンドル
１２０Ｄ：ハンドル駆動部
１２０Ｌ：左回転発光部
１２０Ｒ：右回転発光部
１２２：ブレーキペダル
１２２Ｄ：ブレーキ駆動部
１２２ＨＮ：ブレーキ発光部
１２４：アクセルペダル
１２４Ｄ：アクセル駆動部
１２４ＨＮ：アクセル発光部
１２６：方向指示レバー
１２６Ｄ：方向指示駆動部
１２６Ｌ：左指示発光部
１２６Ｒ：右指示発光部
１２８：メータ類
１２８Ｄ：メータ駆動部
１５０：ラジコン受信機
１６２：コンバータ
１７２：二次巻線
１７３：凸部
２００：音声案内部
【図１】
0006615463.tif 000002
【図２】
0006615463.tif 000003
【図３】
0006615463.tif 000004
【図４】
0006615463.tif 000005